(57)【要約】【課題】本発明は上記問題点を解消し、建物躯体の大きな変位にも確実に対応することができるエキスパンションジョイントを提供することをその課題とする。【解決手段】直交状に相対してコーナー部を構成するように設置された２つの建物躯体１、２間の間隙Ｓをカバー材３で覆うエキスパンションジョイントにおいて、上記一方の建物躯体２には、上記両躯体間の間隙を覆うカバー材３を、他方の建物躯体１に対して接近離間方向にスライド可能に支持させ、上記一方の建物躯体２とカバー材３との間には、上記カバー材３の先端を上記他方の建物躯体に当接するように押圧する押圧手段１５を設けた。【選択図】　　　　図１
2004143670.tif 000002
【特許請求の範囲】
【請求項１】
直交状に相対してコーナー部を構成するように設置された２つの建物躯体間の間隙をカバー材で覆うエキスパンションジョイントにおいて、上記一方の建物躯体には、上記両躯体間の間隙を覆うカバー材を、他方の建物躯体に対して接近離間方向にスライド可能に支持させ、上記一方の建物躯体とカバー材との間には、上記カバー材の先端を上記他方の建物躯体に当接するように押圧する押圧手段を設けた
ことを特徴とするエキスパンションジョイント。
【請求項２】
前記押圧手段が、交差したリンクをパンタグラフ状に連結して伸縮可能に組むとともに、伸長方向にバネ付勢して成るものである、請求項１記載のエキスパンションジョイント。
【請求項３】
前記カバー材の先端と前記他方の建物躯体との間には緩衝材が配置された、請求項１記載のエキスパンションジョイント。
【請求項４】
前記押圧手段の伸縮方向の一端はカバー材に取りつけられ、他端は前記一方の建物躯体又は該建物躯体に固定された支持部材に取りつけられた、請求項２記載のエキスパンションジョイント。
【請求項５】
前記押圧手段が前記カバー材の背面側に設けられた、請求項２記載のエキスパンションジョイント。
【請求項６】
前記一方の建物躯体にレール受けを固定し、前記カバー材には上記レール受けに沿って前記他方の建物躯体に対して接近離間方向にスライド可能なスライドレールを備えた、請求項１又は２に記載のエキスパンションジョイント。
【請求項７】
前記レール受けは断面アリ溝形に形成され、前記スライドレールは上記レール受けの内側にスライド可能に係合し、スライドレールとレール受けとの間にはベアリングが取りつけられている、請求項６記載のエキスパンションジョイント。
【発明の詳細な説明】
【０００１】
【発明の属する技術分野】
本発明は、壁躯体と天井躯体、壁躯体と壁躯体、壁躯体と床躯体のように、直交状に相対してコーナー部を構成するように設置された２つの建物躯体間の間隙をカバー材で覆うエキスパンションジョイントに関する。
【０００２】
【従来技術とその問題点】
一般に、エキスパンションジョイントにおいては、間隙を隔てて相対する建物躯体にそれぞれ支持部材を固定し、この支持部材にホルダを介して上記間隙を塞ぐカバー材を取りつけるものであるが、建物躯体は震動、不同沈下、温度変化等によって相対的に変位するから、これに対応してカバー材も変動しなければならない。
【０００３】
しかしながら、従来のホルダは必ずしも建物躯体の変位に確実に対応できるものとはいえなかった。特に、建物躯体が互いに離間し接近するような動きに対しては円滑な対応が不充分であった。
【０００４】
これに対し、直交状に相対してコーナー部を構成するように設置された２つの建物躯体間の間隙をカバー材で覆うエキスパンションジョイントとしては、従来、上記カバー材をバネ材を介して常時上記間隙を塞ぐ方向に付勢するものが知られている（例えば、特許文献１参照）。
【０００５】
【特許文献１】
特許第３０６３０２８号公報（全文、図１〜図３７）
【０００６】
【発明が解決しようとする課題】
しかしながら、単にバネ材でカバー材を付勢する構成では、カバー材はバネ材の伸縮可能な範囲に限定されてしまう。そのため、建物躯体が大きく変位するとき、特に両建物躯体が互いに離間して間隙が大きくなったときにバネの変位量がこれに追いつかず、うまく対応することができないことがあった。
【０００７】
本発明は上記問題点を解消し、建物躯体の大きな変位にも確実に対応することができるエキスパンションジョイントを提供することをその課題とする。
【０００８】
【課題を解決するための手段】
前記課題を解決するため、本発明に係るエキスパンションジョイントは、直交状に相対してコーナー部を構成するように設置された２つの建物躯体間の間隙をカバー材で覆うエキスパンションジョイントにおいて、上記一方の建物躯体には、上記両躯体間の間隙を覆うカバー材を、他方の建物躯体に対して接近離間方向にスライド可能に支持させ、上記一方の建物躯体とカバー材との間には、上記カバー材の先端を上記他方の建物躯体に当接するように押圧する押圧手段を設けたことを特徴とする。
【０００９】
前記押圧手段は、交差したリンクをパンタグラフ状に連結して伸縮可能に組むとともに、伸長方向にバネ付勢して成るものであるのがよい。
【００１０】
前記カバー材の先端と前記他方の建物躯体との間には緩衝材を配置するのが好ましい。
【００１１】
前記押圧手段の伸縮方向の一端はカバー材に取りつけられ、他端は前記一方の建物躯体又は該建物躯体に固定された支持部材に取りつけられるようにするのがよい。
【００１２】
前記押圧手段は前記カバー材の背面側に設けるのが好ましい。
【００１３】
前記一方の建物躯体にレール受けを固定し、前記カバー材には上記レール受けに沿って前記他方の建物躯体に対して接近離間方向にスライド可能なスライドレールを備えるようにするのが望ましい。
【００１４】
前記レール受けは断面アリ溝形に形成され、前記スライドレールは上記レール受けの内側にスライド可能に係合し、スライドレールとレール受けとの間にはベアリングを取りつけるように構成するのがよい。
【００１５】
【発明の実施の形態】
図１はエキスパンションジョイントの平面図、図２はその側面図、図３は図１のＸ−Ｘ線上の断面図であり、図４は図１のＹ−Ｙ線上の断面図である。同図において符号１は壁躯体、２は天井躯体を示す。壁躯体１と天井躯体２とは、間隙Ｓを隔てて直交状に相対してコーナー部を構成するように設置された建物躯体である。なお、建物躯体はコーナー部を構成するように設置されたものであれば、壁躯体と床躯体、壁躯体と壁躯体、天井躯体や屋根躯体等でもよい。
【００１６】
上記壁躯体１と天井躯体２との間には、上記間隙Ｓを塞ぐカバー材３が取り付けられている。カバー材３は断面略Ｕ字形の枠材４（と断面Ｕ字形の補強材５）とを方形に組んだ枠体の下面に金属等のパネル６を固定したもので、大型と小型の２つのカバー材３ａ、３ｂを結合することによって１つのカバー材３が構成されている。また、各カバー材３ａ、３ｂの、上記間隙Ｓに対して直角をなす両側の枠材４の内側垂直面７にはスライドレール８が突設されている。
【００１７】
なお、上記カバー材３の壁躯体１側の先端にはゴム等の弾性材からなる緩衝材９が取り付けられている。
【００１８】
次に、上記天井躯体２の下部には吊金具１０が垂設され、吊金具１０の下端には、間隙Ｓに対して直角に設けられた断面Ｌ字形の支持部材１１が固定されている。支持部材１１は、大型と小型の２つのカバー材３ａ、３ｂのスライドレール８に対応して、２対が配置されている。２対の支持部材１１の中間部は、各カバー材３ａ、３ｂに対応して、連結支持部材１１ａを介して連結されている。
【００１９】
図４及び図５に詳しく示すように、各支持部材１１の内側の垂直面には、その長手方向に沿ってアリ溝形のレール受け１３が固定され、レール受け１３の内側にスライドレール８がスライド可能に係合している。なお、レール受け１３とスライドレール８との間にはベアリング１４が取りつけられている。
【００２０】
上記構成により、スライドレール８は上記レール受け１３にスライド可能に設けられ、これにより、カバー材３は、壁躯体１に対して接近離間方向にスライド可能に支持される。また、レール受け１３とスライドレール８とは、カバー材３の背面側に設けられる。
【００２１】
次に、上記壁躯体１とカバー材３との間には、上記カバー材３の先端を上記他方の建物躯体に当接するように押圧する押圧手段１５が設けられている。
【００２２】
押圧手段１５は、交差したリンク１６をパンタグラフ状に連結して伸縮可能に組んで成るもので、カバー材３の背面側に配置されている。押圧手段１５の伸縮方向の一端１５ａはカバー材３の先端側の枠材４に取りつけられ、他端１５ｂは天井躯体２に固定された連結支持部材１１ａに取り付けられている。なお、上記他端は天井躯体２に適宜の金具を介して取り付けるように構成してもよい。また、上記一端はカバー材３の先端側とは反対側の枠材４に取りつけてもよい。
【００２３】
上記押圧手段１５は３個の菱形が連続した形状となり、各菱形部分の対角線上にはバネ材１７が取りつけられ、このバネ材１７のバネ力によって押圧手段１５は伸長方向にバネ付勢されているから、カバー材３の先端緩衝材９を壁躯体１に常時当接するように押圧している。
【００２４】
上記構成において、通常はカバー材３は伸長方向にバネ付勢され、先端緩衝材９は壁躯体１に常時当接するように押圧されている。これにより、壁躯体１と天井躯体２との間の間隙Ｓはカバー材３によって塞がれている。
【００２５】
ところで、建物躯体は震動、不同沈下、温度変化等によって相対的に変位するから、壁躯体１に対して天井躯体２が垂直又は水平方向に相対的に変位する。
【００２６】
垂直方向に変位するときは、カバー材３の先端が壁躯体１の壁面に沿って摺動することによって対応することができる。
【００２７】
これに対し、水平方向に変位するときは、壁躯体１と天井躯体２とが互いに接近又は離間する。互いに接近するときは、パンタグラフ状の押圧手段１５の先端が壁躯体１に押され、押圧手段１５が図６の点線のように変形して縮小し、バネ材１７は伸長する。互いに離間するときは、壁躯体１が離間するので、押圧手段１５は同図の点線のように変形して伸長し、バネ材１７は縮小する。いずれの場合も、カバー材３のスライドレール８は支持部材１１のレール受け１３に沿ってスライド移動し、押圧手段１５の押圧力によりカバー材３の先端は壁躯体１に常時当接される。そして、建物躯体が急激に変位してカバー材３の先端が壁躯体１に強く当たるような場合でも、カバー材３の先端には緩衝材９が取り付けられているから、衝撃は緩和され、カバー材３の変形を良好に防止することができる。
【００２８】
上述のように、壁躯体１と天井躯体２とが相対的に変位するときでも、カバー材３が押圧手段１５によって常時両躯体間の間隙Ｓを塞ぐが、特に押圧手段１５はパンタグラフ状に形成されているので、その両端の変動範囲はバネ材１７自体の伸縮範囲よりも大きい、つまりバネ材１７の伸縮の範囲に比べて押圧手段１５は長く伸縮するので、建物躯体の変位に十分に対応することができる。
【００２９】
また、カバー材３は大型と小型の２種類のカバー材３ａ、３ｂによって構成されているから、天井躯体２の大きさに従って２種類のカバー材３ａ、３ｂを組み合わせて対応することができる。
【００３０】
さらに、スライドレール８とレール受け１３との間にはベアリングが取りつけられているから、スライドは軽快かつ円滑に行なわれる。
【００３１】
なお、押圧手段１５は必ずしも上述の構造のものに限定されない。例えば、図７のように、リンク１６によって１個の菱形が構成されるようなものであってもよい。
【００３２】
また、カバー材３は必ずしも大小２種類のカバー材３ａ、３ｂによって構成されるものに限定されない。例えば、図８に示されるように、１枚のカバー材３によって構成されるようにしてもよい。この場合も、支持部材１１とカバー材３とに、カバー材３の重量を十分に支持できる程度のレール受け１３とスライドレール８とを設ければよい。押圧手段１５も適宜の構成のものを適宜列だけ配置すればよい。なお、レール受け１３は、支持部材１１とともに、カバー材３の幅方向に設けられた補強材５に取りつければよい。
【００３３】
上記構成においても、カバー材３は伸長方向にバネ付勢され、先端緩衝材９は壁躯体１に常時当接するように押圧されている。これにより、壁躯体１と天井躯体２との間の間隙Ｓはカバー材３によって塞がれている。
【００３４】
ところで、建物躯体は震動、不同沈下、温度変化等によって相対的に変位するから、壁躯体１に対して天井躯体２が垂直又は水平方向に相対的に変位する。
【００３５】
垂直方向に変位するときは、カバー材３の先端が壁躯体１の壁面に沿って摺動することによって対応することができる。
【００３６】
これに対し、水平方向に変位するときは、壁躯体１と天井躯体２とが互いに接近又は離間する。互いに接近するときは、パンタグラフ状の押圧手段１５の先端が壁躯体１に押され、押圧手段１５が図６に示したのと同様に変形して縮小し、バネ材１７は伸長する。互いに離間するときは、壁躯体１が離間するので、押圧手段１５も同様に変形して伸長し、バネ材１７は縮小する。いずれの場合も、カバー材３のスライドレール８は支持部材１１のレール受け１３に沿ってスライド移動し、押圧手段１５の押圧力によりカバー材３の先端は壁躯体１に常時当接される。そして、建物躯体が急激に変位してカバー材３の先端が壁躯体１に強く当たるような場合でも、カバー材３の先端には緩衝材９が取り付けられているから、衝撃は緩和され、カバー材３の変形を良好に防止することができる。
【００３７】
上述のように、壁躯体１と天井躯体２とが相対的に変位するときでも、カバー材３が押圧手段１５によって常時両躯体間の間隙Ｓを塞ぐが、特に押圧手段１５はパンタグラフ状に形成されているので、その伸縮の範囲はバネ材１７自体の伸縮範囲よりも大きい、つまりバネ材１７の伸縮の範囲に比べて押圧手段１５は長く伸縮するので、建物躯体の変位に十分に対応することができる。
【００３８】
なお、上述の実施形態では２つの建物躯体が壁躯体１と天井躯体２である場合の関係について述べたが、直交状に相対してコーナー部を構成するように設置された２つの建物躯体であれば、壁躯体１と床躯体、壁躯体１と壁躯体１の関係であってもよい。
【００３９】
【発明の効果】
請求項１に係る発明によれば、２つの建物躯体が互いに接近又は離間するときでも、押圧手段によってカバー材は常時他方の建物躯体に当接しているので、両建物躯体間の間隙は良好に塞がれる。
【００４０】
請求項２に係る発明によれば、前記押圧手段が、交差したリンクをパンタグラフ状に連結して伸縮可能に組むとともに、伸長方向にバネ付勢して成るものであるから、押圧手段の変動の範囲はバネ材自体の伸縮範囲よりも大きい、つまりバネ材の伸縮の範囲に比べて押圧手段は長く伸縮するので、建物躯体の変位に十分に対応することができる。
【００４１】
請求項３に係る発明によれば、カバー材の先端と前記他方の建物躯体との間には緩衝材が配置されているので、建物躯体変動時の衝撃が緩和され、カバー材や建物躯体の変形や破損が防止できる。
【００４２】
請求項４に係る発明によれば、前記押圧手段の伸縮方向の一端はカバー材に取りつけられ、他端は前記一方の建物躯体又は該建物躯体に固定された支持部材に取りつけられているので、効率よく伸縮できる。
【００４３】
請求項５に係る発明によれば、押圧手段はカバー材の背面側に設けられているので、人目に触れることがない。
【００４４】
請求項６に係る発明によれば、２つの建物躯体が互いに接近又は離間するときは、パンタグラフ状の押圧手段の先端が壁躯体に押され、押圧手段が変形し、バネ材は伸縮する。伸縮いずれの場合も、カバー材のスライドレールはレール受けに沿ってスライド移動し、押圧手段の押圧力によりカバー材の先端は壁躯体に常時当接される。
【００４５】
請求項７に係る発明によれば、スライドレールはレール受けに対して軽快かつ円滑にスライドすることができ、カバー材は迅速に建物躯体の変位に対応して動くことができる。
【図面の簡単な説明】
【図１】本発明に係るエキスパンションジョイントの平面図
【図２】上記エキスパンションジョイントの側面図
【図３】図１のＸ−Ｘ線上の断面図
【図４】図１のＹ−Ｙ線上の断面図
【図５】スライドレールとレール受けの要部を一部断面で示す斜視図
【図６】押圧手段の変形態様を示す平面図
【図７】他の実施形態のエキスパンションジョイントの平面図
【図８】さらに別の実施形態のエキスパンションジョイントの平面図
【符号の説明】
Ｓ　間隙
１　建物躯体（壁躯体）
２　建物躯体（天井躯体）
３　カバー材
１１　支持部材
１５　押圧手段
【図１】
2004143670.tif 000003
【図２】
2004143670.tif 000004
【図３】
2004143670.tif 000005
【図４】
2004143670.tif 000006
【図５】
2004143670.tif 000007
【図６】
2004143670.tif 000008
【図７】
2004143670.tif 000009
【図８】
2004143670.tif 000010